(57)【要約】【課題】本発明は、ボウルの排水構造に関するもので、ボウル２底部の排水口部５に直接に排水栓１５を昇降自在に設けることによりボウル２底部の排水口部５に常に水が存在しないようにし、バクテリアが繁殖したり、カビは繁殖したりして汚れが付着しないボウル２の排水構造を提供することをその課題とするものである。【解決手段】ボウル本体底部の排水口部５より下端開口部６の排水筒部７を一体に垂下形成してボウル２を構成し、該ボウル２の排水筒部７の下端開口部６に排水パイプ８を連結するための連結金具９、１０を結合すると共にボウル２の排水口部５に排水栓１５を昇降自在に設けてなるもので、排水栓１５を設ける位置と排水パイプ８を連結する位置を別個にしたものである。【選択図】図２
2008231852.tif 000002
【特許請求の範囲】
【請求項１】
ボウル本体底部の排水口部より下端開口部の排水筒部を一体に垂下形成してボウルを構成し、該ボウルの排水筒部の下端開口部に排水パイプを連結するための連結金具を結合すると共にボウルの排水口部に排水栓を昇降自在に設けてなるボウルの排水構造。
【発明の詳細な説明】
【技術分野】
【０００１】
本発明は、手洗いや洗面に使用されるボウルの排水構造に関するもので、ボウル底部に形成された排水口部に汚れが生じ難いボウルの排水構造に関するものである。
【背景技術】
【０００２】
従来からボウル底部に排水口部を形成し、この排水口部に連結金具を結合し、この連結金具に排水パイプを連結したボウルの排水構造は特許文献１に明らかである。この従来のボウルの排水構造はボウル底部の排水口部に連結金具を結合するとき、特許文献１の［００２１］、［００２２］に記載されているように、排水通路を形成する円筒部材（上端部にフランジを備え、下端部に雄ネジ部を備えている）は下端部の雄ネジ部に締め付けナットがねじこまれていて、この締め付けナットと上端のフランジとでボウル底部をパッキンを介して挟み込む状態で円筒部材がボウル底部に取り付けられるものである。排水栓はこの円筒部材の上端開口部に昇降自在に設けられるものである。
【０００３】
この従来のボウルの排水構造ではボウル底部上面に円筒部材のフランジが露出し、ボウル底部上面とフランジとの間に段差生じ、このためにその段差部に常に水が存在する状態になる。常に水が存在するとそこではバクテリアが繁殖したり、カビは繁殖したりして汚れとなって付着した状態になり、外観が悪いと共に衛生的にも良くないものであった。
【特許文献１】特開平０９―２６８６２３号公報  （明細書００２０、００２１、図２）
【発明の開示】
【発明が解決しようとする課題】
【０００４】
本発明は、ボウルの排水構造に関するもので、ボウル底部の排水口部に直接に排水栓を昇降自在に設けることによりボウル底部の排水口部に常に水が存在しないようにし、バクテリアが繁殖したり、カビは繁殖したりして汚れとなって付着しないボウルの排水構造を提供することをその課題とするものである。
【課題を解決するための手段】
【０００５】
上記課題を解決するために、本発明に係るボウルの排水構造は、ボウル本体底部の排水口部より下端開口部の排水筒部を一体に垂下形成してボウルを構成し、該ボウルの排水筒部の下端開口部に排水パイプを連結するための連結金具を結合すると共にボウルの排水口部に排水栓を昇降自在に設けてなるものである。
【発明の効果】
【０００６】
請求項１に記載のボウルの排水構造は、ボウル本体底部の排水口部より下端開口部の排水筒部を一体に垂下形成してボウルを構成し、該ボウルの排水筒部の下端開口部に排水パイプを連結するための連結金具を結合すると共にボウルの排水口部に排水栓を昇降自在に設けてなるもので、ボウル底部の排水口部と排水パイプを連結するための連結金具を結合する部分を別個にすることによりボウル底部の排水口部に常に水が存在しないようにしたものである。このために、ボウルの排水口部に排水栓を設けても連結金具が該ボウルの排水筒部の下端開口部に排水パイプを連結するための連結金具を結合しているのでボウル底部の排水口部には常に水が存在しないものである。
【発明を実施するための最良の形態】
【０００７】
以下、本発明の実施形態について図面を参照して詳細に説明する。図１は本発明におけるボウルの排水構造を使用した洗面化粧台の実施例の斜視図である。図１において、１は鏡、２は洗面に使用するボウル、３はキャビネット、４は照明器具である。図２はボウル２底部の断面図、図３は要部分解図である。
【０００８】
ボウル２底部は排水口部５より下端開口部６の排水筒部７を一体に垂下形成している。この一体に垂下形成した排水筒部７の下端開口部６に排水パイプ８を連結する連結金具９、１０を結合する。連結金具９は円筒部材でなり、上端部にフランジ１１を備え、下端部に雄ネジ部１２を備えている。連結金具１０は内面に雌ネジ部１３が形成され連結金具９の下端部の雄ネジ部１２にネジ込まれ、パッキン１４を介して排水筒部７の下端開口部６をフランジ１１と連結金具１０とで挟み付けら連結固定される。１５は排水口部５に設けられる排水栓である。
【０００９】
このボウル２の排水構造では、ボウル２底部の排水口部５に排水栓１５が昇降自在に設けられているが排水パイプ８を連結する連結金具９、１０はこの排水口部５に設けられておらず、排水口部５より下端開口部６の排水筒部７を一体に垂下形成した排水筒部７の下端開口部６に設けられているために、排水口部５には水が常に存在する状態にならないものである。そのためには排水口部５にはバクテリアが繁殖したり、カビは繁殖したりして汚れが付着したりしないものである。
【００１０】
排水口部５に設けられる排水栓１５には従来からしられているヘアーキャッチャーを設けてもよいことは当然のことであり、さらに、排水栓１５を引き棒により操作してもよいことは当然である。ボウル２底部は排水口部５より下端開口部６の排水筒部７を一体に垂下形成し、排水口部５に排水栓１５を設け、排水筒部７の下端開口部６に連結金具９、１０により排水パイプ８を連結するためにボウル２底部の排水口部５に水が常に存在する状態にならないものである。
【００１１】
ボウル２は具体的には合成樹脂或いは陶磁器で製造されるものである。合成樹脂はＦＲＰが適したものである。ボウル２はボウル本体底部の排水口部５より下端開口部６を有する排水筒部７を一体に垂下形成して形成されるものであるが、排水筒部７をボウル本体底部の排水口部５に一体的に固着して垂下形成する場合も含むものである。
【図面の簡単な説明】
【００１２】
【図１】本発明にかかるボウルの排水構造を使用した洗面化粧台の実施例の斜視図。
【図２】図１に示す実施例の要部断面説明図。
【図３】図２に示す実施例の要部拡大説明図。
【符号の説明】
【００１３】
１            鏡
２            ボウル
３            キャビネット
４            照明器具
５            排水口部
６            下端開口部
７            排水筒部
８            排水パイプ
９            連結金具
１０          連結金具
１１          フランジ
１２          雄ネジ部
１３          雌ネジ部
１４          パッキン
１５          排水栓
【図１】
2008231852.tif 000003
【図２】
2008231852.tif 000004
【図３】
2008231852.tif 000005